(57)【要約】【課題】基地局から携帯端末への無線通信を確保しつつ、上り可変利得増幅部で発生する雑音の基地局への送信を防止することができるようにする。【解決手段】制御部５は、受信した下り信号ＳDを送信する基地局毎に伝播損を検出して、最小の伝播損の基地局を基準として最適な利得値を求め、下り可変利得増幅部３と上り可変利得増幅部８とにこの利得値を設定する。下り可変利得増幅部３は常時動作状態にあり、上り可変利得増幅部８は、上り受信部１１が検出するＲＳＳＩ値が閾値未満である上り信号ＳUが受信されないときには、制御部５によって電源スイッチ１２がオフとなって非動作状態にあるが、アンテナ７で携帯端末からの上り信号ＳUが受信され、上り受信部１１で検出されるこの上り信号ＳUのＲＳＳＩ値が閾値以上になると、制御部５が電源スイッチ１２をオンし、上り可変利得増幅部８を動作状態にする。【選択図】図１
2009283996.tif 000002
【特許請求の範囲】
【請求項１】
１以上の基地局との間で無線信号を送受信する第１のアンテナと、
携帯端末との間で無線信号を送受信する第２のアンテナと、
該第１のアンテナで受信された該基地局からの下り信号を増幅する下り可変利得増幅部と、
該第２のアンテナで受信された該携帯端末からの上り信号を増幅する上り可変利得増幅部と、
該下り信号をセルサーチ処理し、該下り信号毎の報知情報をデコードするとともに、該下り信号夫々の共通パイロットチャンネルの受信レベルを検出する下り受信部と、該報知情報での該共通パイロットチャンネルの送信レベルと該受信レベルとの差分の伝播損が最小となる該基地局を基準として最適な利得値を求め、該利得値を該下り可変利得増幅部と該上り可変利得増幅部とに設定する制御部と
を備えた無線中継増幅装置において、
該第２のアンテナで受信された該携帯端末からの上り信号のＲＳＳＩ値を検出する上り受信部を設け、
該制御部が、
該上り受信部で検出されたＲＳＳＩ値が予め決められた閾値以上のとき、該
上り可変利得増幅部を動作状態とし、
該上り受信部で検出されたＲＳＳＩ値が予め決められた閾値未満のとき、該
上り可変利得増幅部を非動作状態とし、
かつ該下り可変利得増幅部を常時動作状態とする
ことを特徴とする無線中継増幅装置。
【発明の詳細な説明】
【技術分野】
【０００１】
本発明は、Ｗ−ＣＤＭＡ（Wideband-Code Division Multiple Access：広帯域符号分割多元接続）方式による無線通信システムでの無線中継増幅装置に係り、特に、上りリンクの品質改善に関するものである。
【背景技術】
【０００２】
基地局と携帯電話などの携帯端末との間で無線通信を行なう場合、携帯端末が地下店舗や地下街，トンネルなどを移動するとき、基地局からの電波が携帯端末に届きにくく、通信ができない場合がある。そこで、従来では、このような電波が届きにくいエリア内に無線中継増幅装置が設置され、基地局から送信される下り信号や携帯端末から送信される上り信号を夫々受信し、最適な利得で増幅して携帯端末や基地局に送信するようにしている。これにより、これまで通信できなかったエリアも基地局との通信が可能となり、サービスエリアを拡張することができる。
【０００３】
図４は無線中継増幅装置の一従来例を示すブロック構成図であって、１はアンテナ、２はデュプレクサ、３は下り可変利得増幅部、４は下り受信部、５は制御部、６はデュプレクサ、７はアンテナ、８は上り可変利得増幅部、９は下り回線、１０は上り回線である。
【０００４】
同図において、図示しない基地局からの下り信号ＳDはアンテナ１で受信され、デュプレクサ２で下り回線９側に分離される。下り回線９では、デュプレクサ２からの下り信号ＳDが下り可変利得増幅部３と下り受信部４とに供給される。下り受信部４は、下り信号ＳDに対して、セルサーチ処理を行ない、下り信号ＳDを送信する基地局を特定し、その特定された基地局夫々から送信された下り信号ＳDに含まれる報知情報をデコードするとともに、夫々の下り信号ＳDの共通パイロットチャンネルの受信レベルを測定し、特定されたこれら基地局からの下り信号ＳDの報知情報や受信レベルを制御部５に供給する。
【０００５】
ここで、基地局毎に携帯端末との送信が可能なエリア、即ち、セルが形成されており、夫々の基地局は、そのセル内の携帯端末からの送信信号を受信し、これを下り信号ＳDとして送信するものであるが、隣接するセルが互いに重複するエリアが存在するものであり、このような複数のセルが重複するエリア内に存在する携帯端末からの送信信号は、これらセル毎に該当する基地局で受信され、これら基地局から同時に下り信号ＳDとして送信される。このことから、同じ携帯端末による異なる基地局からの下り信号ＳDが同時にアンテナ１で受信され、下り回線９に入力される場合もある。
【０００６】
このように、複数の基地局から同じ携帯端末による下り信号ＳDが同時に受信された場合、下り受信部４はかかる下り信号ＳDを送信する夫々の基地局を特定し、これら基地局毎の下り信号ＳDの報知情報や受信レベルを制御部５に供給するものである。
【０００７】
かかる報知情報には、基地局が下り信号ＳDを送信するときの共通パイロットチャンネルの送信レベルを表わす情報が付加されている。制御部５は、下り受信部４で特定された基地局毎に、下り信号ＳDの報知情報からこの送信レベルを読み取り、この送信レベルと上記の測定した受信レベルとの差分（伝播損）を求め、この伝播損が最小となる基地局を基準として、この基準となる基地局からの下り信号ＳDが最適なレベルとなるように、最適な利得値を求め、この利得値を下り可変利得増幅部３と上り回線１０での上り可変利得増幅部８とに設定する。
【０００８】
デュプレクサ２で分離された下り信号ＳDは、この利得値が設定された下り可変利得増幅部３で増幅され、デュプレクサ６を介してアンテナ７から図示しない所定の携帯端末に送信される。
【０００９】
また、アンテナ７では、図示しない携帯端末からの上り信号ＳUが受信され、デュプレクサ６によって上り回線１０側に分離される。上り回線１０では、デュプレクサ６からの上り信号ＳUが、上記の利得値が設定された上り可変利得増幅部８で増幅された後、デュプレクサ２を介してアンテナ１から図示しない基地局に送信される。
【００１０】
このように、無線中継増幅装置は、基地局と携帯端末との間を増幅して中継するものであるから、この基地局からの電波が届きにくいエリアに、この基地局との無線通信を良好に行なうことができるように、かかる無線中継増幅装置を設置することにより、基地局とその電波が届きにくいエリアでの携帯端末との間の無線通信が良好に行なわれることになる。
【００１１】
一方、このような無線中継増幅装置において、これを使用しない期間、下り可変利得増幅部と上り可変利得増幅部との電源をともにオフ状態とし、消費電力の低減を図るようにした技術が提案されている（例えば、特許文献１参照）。
【００１２】
このために、この特許文献１に記載の技術では、地下鉄に設置された場合を例として、タイマを用い、これによって終電時間から始発時間までの間、下り可変利得増幅部と上り可変利得増幅部との電源をともにオフ状態とするものであり、また、ビルや地下街に設置された場合を例として、入退出管理手段を利用し、全員が退出した時点で下り可変利得増幅部と上り可変利得増幅部との電源をともにオフにし、１人でも入室したときには、下り可変利得増幅部と上り可変利得増幅部との電源をともにオンするようにしている。
【特許文献１】特開２０００ー２７８２２７号公報
【発明の開示】
【発明が解決しようとする課題】
【００１３】
ところで、上記の無線中継増幅装置では、その下り可変利得増幅部も、また、上り可変利得増幅部（以下、これらを総称する場合には、可変利得増幅部という）も、雑音を発生し、いずれの可変利得増幅部も、信号の入力の有無に拘らず、制御部５によって求められた利得値が設定されている。このため、発生した雑音は、この利得値で増幅されて出力されることになり、これらで増幅される下り信号や上り信号は、かかる雑音が重畳されて送信されることになる。下り信号や上り信号が供給されて増幅される場合には、これら下り信号や上り信号に対してかかる雑音は充分レベルが低いため、各別問題とはならないが、これら下り信号や上り信号が供給されない場合には、かかる可変利得増幅部からは、雑音のみが出力され、これが送信されることになる。
【００１４】
下り可変利得増幅部に下り信号が供給されず、下り可変利得増幅部から雑音のみが出力されて携帯端末に送信されても、この無線中継増幅装置と通信可能なエリア、即ち、セル内では、これと通信する携帯端末は存在しないから、各別問題とはならないが、上り可変利得増幅部に上り信号が供給されず、上り可変利得増幅部から雑音のみが出力されるときには、この雑音は基地局に送信されることになり、これを受信した基地局は、それ自身が発生する雑音にこの受信したし雑音が加わり、等価的に発生雑音量が増加することになる。このため、この基地局から送信する信号の品質が劣化することになる。
【００１５】
これに対し、上記特許文献１に記載の無線中継増幅装置では、これが使用されない期間（即ち、地下鉄の駅に設置されている場合には、終電時間から始発時間までの間、ビルや地下街に設置されている場合には、入室者が１人も居ないとき）、下り可変利得増幅部も上り可変利得増幅部も電源がオフに設定されるので、消費電力の低減とともに、かかる期間での可変利得増幅部での雑音の発生を防止することができ、基地局に雑音だけが送信されるといったことは生じない。
【００１６】
しかしながら、地下店舗や地下街，トンネルなどの四六時中人が通るようなエリアに上記のように無線中継増幅装置を設置し、上記特許文献１に記載のように、タイマやスケジュールデータに基づいて、所定の時間帯可変利得増幅部、即ち、その下り可変利得増幅部と上り可変利得増幅部とをともに電源オフの状態にしておくと、その人の携帯端末は基地局との通信を全く行なうことができず、例えば、地震情報などの緊急情報を基地局から送信しても、この携帯端末には通報されないことになる。
【００１７】
また、地下店舗や地下街，トンネルなどの四六時中人が通るようなエリアに設置された無線中継増幅装置に対し、上記特許文献１に記載の技術のように、入退出管理手段と同等の手段を利用して、そのエリアを通る者が１人も居ないときのみ下り可変利得増幅部と上り可変利得増幅部とをともに電源オフの状態にする場合には、このエリアを人が通れば、この無線中継増幅装置の下り可変利得増幅部と上り可変利得増幅部とがともに電源オンの状態に切り替わり、この通行人の携帯端末と基地局との通信が可能となる。
【００１８】
しかしながら、この通行人が基地局と通信しなくとも、上り可変利得増幅部は電源オンの状態に保持されることになり、この上り可変利得増幅部で発生した雑音が基地局に送信されることになる。
【００１９】
このように、上記特許文献１に記載の技術は、無駄な消費電力の低減については配慮されているものの、基地局への雑音の送信と基地局，携帯端末間の通信殿配慮はなされていない。
【００２０】
本発明の目的は、かかる問題を解消し、基地局から携帯端末への無線通信を確保しつつ、上り可変利得増幅部で発生する雑音の基地局への送信を防止することができるようにした無線中継増幅装置を提供することにある。
【課題を解決するための手段】
【００２１】
上記目的を達成するために、本発明は、
１以上の基地局との間で無線信号を送受信する第１のアンテナと、携帯端末との間で無線信号を送受信する第２のアンテナと、第１のアンテナで受信された基地局からの下り信号を増幅する下り可変利得増幅部と、第２のアンテナで受信された携帯端末からの上り信号を増幅する上り可変利得増幅部と、下り信号をセルサーチ処理し、下り信号毎の報知情報をデコードするとともに、下り信号夫々の共通パイロットチャンネルの受信レベルを検出する下り受信部と、報知情報での共通パイロットチャンネルの送信レベルと受信レベルとの差分の伝播損が最小となる基地局を基準として最適な利得値を求め、利得値を下り可変利得増幅部と上り可変利得増幅部とに設定する制御部とを備えた無線中継増幅装置であって、第２のアンテナで受信された携帯端末からの上り信号のＲＳＳＩ値を検出する上り受信部を設け、制御部が、上り受信部で検出されたＲＳＳＩ値が予め決められた閾値以上のとき、上り可変利得増幅部を動作状態とし、上り受信部で検出されたＲＳＳＩ値が予め決められた閾値未満のとき、上り可変利得増幅部を非動作状態とし、かつ下り可変利得増幅部を常時動作状態とすることを特徴とするものである。
【００２２】
また、本発明は、１以上の基地局との間で無線信号を送受信する第１のアンテナと、携帯端末との間で無線信号を送受信する第２のアンテナと、第１のアンテナで受信された基地局からの下り信号を増幅する下り可変利得増幅部と、第２のアンテナで受信された携帯端末からの上り信号を増幅する上り可変利得増幅部と、下り信号をセルサーチ処理し、下り信号毎の報知情報をデコードするとともに、下り信号夫々の共通パイロットチャンネルの受信レベルを検出する下り受信部と、報知情報での共通パイロットチャンネルの送信レベルと受信レベルとの差分の伝播損が最小となる基地局を基準として最適な利得値を求め、利得値を下り可変利得増幅部と上り可変利得増幅部とに設定する制御部とを備えた無線中継増幅装置であって、時刻を繰り返し計測し、時刻情報を出力するタイマを設け、制御部が、タイマからの時刻情報による時刻が所定時間帯内にあるとき、上り可変利得増幅部を非動作状態とし、タイマからの時刻情報による時刻が所定時間帯外にあるとき、上り可変利得増幅部を動作状態とし、かつ下り可変利得増幅部を常時動作状態とすることを特徴とするものである。
【００２３】
また、本発明は、１以上の基地局との間で無線信号を送受信する第１のアンテナと、携帯端末との間で無線信号を送受信する第２のアンテナと、第１のアンテナで受信された基地局からの下り信号を増幅する下り可変利得増幅部と、第２のアンテナで受信された携帯端末からの上り信号を増幅する上り可変利得増幅部と、下り信号をセルサーチ処理し、下り信号毎の報知情報をデコードするとともに、下り信号夫々の共通パイロットチャンネルの受信レベルを検出する下り受信部と、報知情報での共通パイロットチャンネルの送信レベルと受信レベルとの差分の伝播損が最小となる基地局を基準として最適な利得値を求め、利得値を下り可変利得増幅部と上り可変利得増幅部とに設定する制御部とを備えた無線中継増幅装置において、第２のアンテナで受信された携帯端末からの上り信号のＲＳＳＩ値を検出する上り受信部と、時刻を繰り返し計測し、時刻情報を出力するタイマとを設け、制御部が、（１）タイマからの時刻情報による時刻が所定時間帯内にあるとき、上り可変利得増幅部を非動作状態とし、（２）タイマからの時刻情報による時刻が所定時間帯外であって、上り受信部で検出されたＲＳＳＩ値が予め決められた閾値以上のときには、上り可変利得増幅部を動作状態とし、上り受信部で検出されたＲＳＳＩ値が予め決められた閾値未満のときには、上り可変利得増幅部を非動作状態とし、かつ下り可変利得増幅部を常時動作状態とすることを特徴とするものである。
【発明の効果】
【００２４】
本発明によると、携帯端末からの上り信号が受信されないときには、上り可変利得増幅部が非動作状態となるから、この上り可変利得増幅部から雑音が発生することがなく、基地局に雑音だけが送信されることがなく、しかも、下り可変利得増幅部は常時動作状態に設定されているから、基地局から携帯端末への通信が常時可能となる。
【発明を実施するための最良の形態】
【００２５】
以下、本発明の実施形態を図面を用いて説明する。
【００２６】
図１は本発明による無線中継増幅装置の第１の実施形態を示すブロック構成図であって、１１は上り受信部、１２は電源スイッチであり、図４に対応する部分には同一符号をつけて重複する説明を省略する。
【００２７】
同図において、この第１の実施形態は、図４に示す従来の無線中継増幅装置の構成に加え、上り受信部１１を設けたものであり、制御部５が、図４に示す従来の無線中継増幅装置と同様、伝播損が最小となる基準の基地局に対して求めた最適な利得値を下り可変利得増幅部３と上り可変利得増幅部８とに設定し、下り可変利得増幅部３がこの利得値でデュプレクサ２からの下り信号ＳDを増幅し、上り可変利得増幅部８がこの利得値でデュプレクサ６からの上り信号ＳUを増幅するようにするものであるが、制御部５は、さらに、上り受信部１１の出力信号に応じて、上り可変利得増幅部８の電源のオン／オフを制御するものである。
【００２８】
上り受信部１１は、デュプレクサ６から上り回線１０への出力信号のＲＳＳＩ（Received Signal Strength Indicator：受信信号強度）を検出し、その検出値（ＲＳＳＩ値）を制御部５に供給する。制御部５は、上り受信部１１から供給されたＲＳＳＩ値と予め決められた閾値とを比較し、
ＲＳＳＩ値≧閾値
のときには、携帯端末（図示せず）からの上り信号ＳUがアンテナ７で受信されてデュプレクサ６から上り可変利得増幅部８に供給されるものと判定し、この上り可変利得増幅部８の電源スイッチ１２をオンする。これにより、上り可変利得増幅部８は、電源電圧Ｖが印加されて動作状態（電源オン状態）となり、制御部５で求められて上記の利得値が設定されてデュプレクサ６からの上り信号ＳUをこの利得値で増幅する。これにより、増幅された上り信号ＳUが、デュプレクサ２を介し、アンテナ１から図示しない基地局に送信される。
【００２９】
一方、制御部５は、上り受信部１１から供給されたＲＳＳＩ値と予め決められた閾値とを比較した結果、
ＲＳＳＩ値＜閾値
のときには、いずれの携帯端末からの上り信号ＳUがアンテナ７で受信されないと判定し、上り可変利得増幅部８の電源スイッチ１２をオフする。これにより、上り可変利得増幅部８は、電源電圧Ｖが印加されない非動作状態（電源オフ状態）となり、雑音を発生しないし、雑音を出力しない。従って、このときには、アンテナ１から基地局に雑音が送信されない。
【００３０】
このようにして、この第１の実施形態の無線中継増幅装置が地下店舗や地下街，トンネルなどの基地局からの電波が直接と届かないエリアに設置されており、かかるエリアで携帯端末からの通信があると、自動的に上り可変利得増幅部８が電源オン状態となって動作し、この携帯端末からの上り信号ＳUがこの上り可変利得増幅部８で増幅されて基地局に送信され、また、このとき、下り可変利得増幅部３が動作状態にあって、この携帯端末と基地局、従って、他の携帯端末などとの通信が可能となる。
【００３１】
また、かかるエリアで携帯端末からの通信がない場合には、自動的に上り可変利得増幅部８が電源オフ状態となって非動作状態となり、上り可変利得増幅部８からは雑音が出力されない。このため、アンテナ１から基地局に雑音が送信されることはない。なお、このときも、下り可変利得増幅部３が動作状態にあって、基地局からの下り信号ＳDはこの下り可変利得増幅部３で増幅され、アンテナ７から送信される。このため、いずれの時間帯にあっても、このエリア内に通行人などがいる場合、このアンテナ７から送信される下り信号ＳDはこの通行人の携帯端末で受信することができる。これに応答して、この通行人がこの携帯端末から上り信号ＳUを送信すると、上記のように、この上り信号ＳUがアンテナ７で受信され、上り可変利得増幅部８で増幅され、アンテナ１から基地局に送信される。従って、いずれの時間帯にあっても、この携帯端末は、基地局からの下り信号ＳDに応答して、この基地局、従って、他の携帯端末などとの通信が可能となる。勿論、この通行人側から、その携帯端末で上り信号ＳUを送信させることにより、この基地局、従って、他の携帯端末などとの通信を開始させることもできる。
【００３２】
図２は本発明による無線中継増幅装置の第２の実施形態を示すブロック構成図であって、１３はタイマであり、前出図面に対応する部分には同一符号をつけて重複する説明を省略する。
【００３３】
同図において、この第２の実施形態は、図１に示す第１の実施形態での上り受信部１１の代わりに、タイマ１３を用いるものであり、制御部５は、このタイマ１３の出力情報（時刻情報）に基づいて、電源スイッチ１２のオン／オフ制御を行なうものである。これ以外の構成、動作は、図１に示す第１の実施形態と同様である。
【００３４】
タイマ１３は、００時から２４時までの時刻を繰り返し計測するものであり、その計測結果の時刻情報を制御部５に供給する。制御部５には、所定の時間帯（以下、所定時間帯という）が設定されており、この所定時間帯では、上り可変利得増幅部８の電源スイッチ１２をオフにし、この所定時間帯以外の時間帯（以下、所定外時間帯という）では、この電源スイッチ１２をオンする制御信号（以下、電源制御信号という）を出力する。この所定時間帯は、この第２の実施形態の無線中継増幅装置が、例えば、店舗や地下街に設置されている場合、かかる店舗や地下街の各店舗が１０時から２０時までを開店時間帯とし、１時間程度のマージンをもって２１時から翌日の９時までの人通りがなくなる時間帯を閉店時間帯とすると、この閉店時間帯の２１時から翌日の９時までを上記の所定時間帯とし、９時から２１時までを上記の所定外時間帯とする。
【００３５】
そこで、この場合、タイマ１３からの時刻情報が２１時を表わしていると、制御部５は所定時間帯に入ったものと判定し、オン状態にあった電源スイッチをオフ状態に切り替える。これにより、上り可変利得増幅部８は、電源電圧Ｖが印加されない非動作状態となり、雑音を発生しないし、雑音を出力しない。従って、このときには、アンテナ１から基地局に雑音が送信されない。その後、タイマ１３からの時刻情報が９時を表わすと、制御部５は所定時間帯が終わって所定外時間帯に入ったものと判定し、オフ状態にあった電源スイッチをオン状態に切り替える。これにより、上り可変利得増幅部８は、電源電圧Ｖが印加された動作状態となり、制御部５で求められた上記の利得値が設定されて、アンテナ７で受信された上り信号ＳUをこの利得値で増幅し、アンテナ１から基地局に送信できる状態となる。
【００３６】
なお、下り可変利得増幅部３は、所定時間帯、所定外時間帯に拘らず、制御部５からの利得値が設定されてアンテナ１で受信された下り信号ＳDを増幅する状態にある。
【００３７】
このように、この第２の実施形態では、基地局からの電波が届きにくいエリア内で人が居なくなり、携帯端末が使用されなくなる所定時間帯で上り可変利得増幅部８を電源オフして非動作状態とするものであり、これにより、この所定時間帯で上り可変利得増幅部８で雑音が発生されず、基地局にアンテナ１から雑音が送信されることがない。
【００３８】
また、この所定時間帯でも、下り可変利得増幅部３は下り信号ＳDを増幅可能な動作状態にあるので、この所定時間帯にかかるエリアに居る通行人なども、その携帯端末で基地局からの下り信号ＳDを受信することが可能となる。従って、この時間帯に基地局から、例えば、緊急情報の下り信号ＳDが送信されたり、家族や友人などから下り信号ＳDが送信されたりした場合には、かかる下り信号ＳDを携帯端末で受信することができる。この場合、このエリア内でこの携帯端末から送信することはできないが、この受信した下り信号ＳDに対し、このエリア外に出ることにより、応答することが可能となる。即ち、他の携帯端末からの通信（下り信号ＳD）を検知できるものであり、従って、これに対処することが可能となるものである。
【００３９】
図３は本発明による無線中継増幅装置の第３の実施形態を示すブロック構成図であって、前出図面に対応する部分には同一符号をつけて重複する説明を省略する。
【００４０】
同図において、この第３の実施形態は、図１に示す第１の実施形態に図２におけるタイマ１３を付加したものである。
【００４１】
タイマ１３は、図２に示す第２の実施形態と同様、００時から２４時までの時刻を繰り返し計測して時刻情報を制御部５に供給する。制御部５も、第２の実施形態と同様、この時刻情報をもとに、所定時間帯か、所定外時間帯かを判定し、所定時間帯と判定したときには、上り可変利得増幅部８の電源スイッチ１２をオフにして上り可変利得増幅部８を非動作状態とし、所定外時間帯と判定したときには、電源スイッチ１２のオン，オフ制御を上り受信部１１からのＲＳＳＩ値と閾値との比較結果を優先させて行なう。なお、所定時間帯と判定したときには、制御部５は、タイマ１３からの時刻情報を優先し、上り受信部１１からのＲＳＳＩ値と閾値との比較結果に関係なく、電源スイッチ１２をオフ状態にし、上り可変利得増幅部８を非動作状態に設定する。
【００４２】
そこで、所定外時間帯では、制御部５は、タイマ１３からの時間情報からこの時間帯であることを判定し、アンテナ７から上り信号ＳUが受信されないときには、上り受信部１１で検出されるＲＳＳＩ値が閾値未満であるため、電源スイッチ１２をオフ状態にして上り可変利得増幅部８を非動作状態に維持している。これにより、上り可変利得増幅部８から雑音が出力されず、アンテナ１から基地局に雑音が送信されることがない。アンテナ７で携帯端末からの上り信号ＳUが受信されて上り受信部１１で検出されるＲＳＳＩ値が上昇し、閾値以上となると、電源スイッチ１２をオン状態に切り替えて上り可変利得増幅部８を動作状態にする。これにより、この受信された上り信号ＳUは、上り可変利得増幅部８で増幅されて、アンテナ１から基地局に送信される。
【００４３】
かかる所定外時間帯では、下り可変利得増幅部３も動作状態に維持されているので、アンテナ１で受信された基地局からの下り信号ＳDは、この下り可変利得増幅部３で増幅されて、アンテナ７から携帯端末に送信される。これにより、携帯端末と基地局との間で双方向の通信が可能となる。
【００４４】
一方、所定時間帯になると、制御部５は、タイマ１３からの時間情報からこの時間帯であることを判定し、電源スイッチ１２をオフ状態にして上り可変利得増幅部８を非動作状態に切り替える。この非動作状態は、アンテナ７で携帯端末からの上り信号ＳUが受信されて上り受信部１１で検出されるＲＳＳＩ値が閾値以上となっても、維持されることになる。このため、この所定時間帯では、上り可変利得増幅部８から雑音が出力されず、アンテナ１から基地局に雑音が送信されない。
【００４５】
但し、この所定時間帯でも、下り可変利得増幅部３は動作状態に維持されているので、アンテナ１で受信された基地局からの下り信号ＳDは、この下り可変利得増幅部３で増幅されて、アンテナ７から携帯端末に送信される。これにより、基地局から携帯端末に、例えば、緊急情報や知人などからの所望の情報を送信することが可能となる。
【００４６】
以上のように、この第３の実施形態においても、上記第１，第２の実施形態と同様の効果が得られることになる。
【図面の簡単な説明】
【００４７】
【図１】本発明による無線中継増幅装置の第１の実施形態を示すブロック構成図である。
【図２】本発明による無線中継増幅装置の第２の実施形態を示すブロック構成図である。
【図３】本発明による無線中継増幅装置の第３の実施形態を示すブロック構成図である。
【図４】無線中継増幅装置の一従来例を示すブロック構成図である。
【符号の説明】
【００４８】
１  アンテナ
２  デュプレクサ
３  下り可変利得増幅部
４  下り受信部
５  制御部
６  デュプレクサ
７  アンテナ
８  上り可変利得増幅部
９  下り回線
１０  上り回線
１１  上り受信部
１２  電源スイッチ
１３  タイマ
【図１】
2009283996.tif 000003
【図２】
2009283996.tif 000004
【図３】
2009283996.tif 000005
【図４】
2009283996.tif 000006